(57)【特許請求の範囲】
【請求項１】
連続繊維の糸を高圧水または圧縮空気を利用してエジェクターの噴射ノズルから噴射し、一方、土砂を前記繊維の噴射先までマテリアルホース内を空気圧搬送し、前記糸と直接噴射・混合させる連続繊維による補強土を法面上に施工する場合において、法面の地表面にマット状の裏面排水材を縦向きにかつ傾斜状に配置し、その上に補強土を施し、この傾斜状に配置する裏面排水材は、下側の側端縁を非透水性のチャンネル体で被覆することを特徴とした補強土の排水構造。
【請求項２】
連続繊維の糸を高圧水または圧縮空気を利用してエジェクターの噴射ノズルから噴射し、一方、土砂を前記繊維の噴射先までマテリアルホース内を空気圧搬送し、前記糸と直接噴射・混合させる連続繊維による補強土を法面上に施工する場合において、法面の地表面にマット状の裏面排水材を縦向きにかつ傾斜状に配置し、その上に補強土を施し、裏面排水材下端位置に排水管を水平方向に配設し、この裏面排水材下端は排水管内に挿入することを特徴とした補強土の排水構造。
【発明の詳細な説明】
【０００１】
【発明の属する技術分野】
本発明は、法面保護工としての補強土を施工する場合の排水構造に関するものである。
【０００２】
【従来の技術】
法面保護、擁壁築造及び緑化工法に適用可能なものとして、連続した複数本の繊維と砂とを補強するべき施工個所に吹付ける連続繊維複合補強土工法がある。
【０００３】
連続繊維補強土工の施工は、図６に示すように、砂を供給する手段Ｓ１００と連続繊維を供給する手段Ｔ１００とによって構成した装置を使用する。
【０００４】
すなわち、一方で砂Ｓは計量器Ｓ１０２で計量され、エア圧で砂搬送装置Ｓ１０４から可撓性搬送チューブである圧送ホースＳ１０８によって搬送され、他方で繊維供給装置Ｔ１０２から繊維が供給されて砂の重量に対する一定の重量比でエジェクタＷＥからのジェット水により噴射ノズルＴ１０６から噴射され、砂に繊維を絡ませて補強土Ｈにしている。
【０００５】
このように使用する砂の０．１５〜０．２％（乾燥重量比）程度の連続繊維（マルチフィラメント無撚糸）をジェット水と一緒に噴射、砂と三次元的に混合することで、せん断強さを増加させ、より安定した強固な補強土Ｈ（土構造物）を構築することができる。
【０００６】
ところで図７に示すようにこのような連続繊維補強土１を法面２に施す場合、降雨時の湧水や上部から表流水が連続繊維補強土１に直接流入しないように、排水処理を行う必要があり、裏面排水材１１を施し、また、その下端部には地下排水管（有孔管）３及び地下排水管（無孔管）４を基礎部５の上に配設する。
【０００７】
図中６は地山補強土工としてのプレート付きアンカー、７は保水・保肥材（土壌改良材）、８は植生工、９は埋土、１０は側溝である。
【０００８】
前記裏面排水材１１は、連続繊維補強土１の重量による圧縮や、目づまりによって排水性能が減少しない材料を選定し、例えば、厚さ３ｃｍ程度のマット状で圧縮荷重１０ｔ／ｍ２のとき、圧縮率５０％以下及び、排水流量５００ｃｃ／ｓｅｃ（１：１．０のとき）以上のものを選定する。
【０００９】
このようにして連続繊維補強土１の内部に浸透した水は、裏面排水材１１に捕捉され、地下排水管（有孔管）３及び地下排水管（無孔管）４を介して側溝１０に流れ込む。
【００１０】
【発明が解決しようとする課題】
裏面排水材１１は厚さ３ｃｍ程度のマット状のものであり、図８に示すように縦向きに間隔を存して（１〜１．５ｍ）配設するが、湧水個所が不明瞭な場合や、各所に染み出す水がある場合は裏面排水材１１間を抜けて流れてしまうおそれがある。
【００１１】
本発明の目的は前記従来例の不都合を解消し、湧水個所が不明瞭な場合や、各所に染み出す水がある場合でも確実に捕捉して、効果的な排水が可能な補強土の排水構造を提供することにある。
【００１２】
【課題を解決するための手段】
本発明は前記目的を達成するため、第１に、連続繊維の糸を高圧水または圧縮空気を利用してエジェクターの噴射ノズルから噴射し、一方、土砂を前記繊維の噴射先までマテリアルホース内を空気圧搬送し、前記糸と直接噴射・混合させる連続繊維による補強土を法面上に施工する場合において、法面の地表面にマット状の裏面排水材を縦向きにかつ傾斜状に配置し、その上に補強土を施し、この傾斜状に配置する裏面排水材は、下側の側端縁を非透水性のチャンネル体で被覆すること、第２に、連続繊維の糸を高圧水または圧縮空気を利用してエジェクターの噴射ノズルから噴射し、一方、土砂を前記繊維の噴射先までマテリアルホース内を空気圧搬送し、前記糸と直接噴射・混合させる連続繊維による補強土を法面上に施工する場合において、法面の地表面にマット状の裏面排水材を縦向きにかつ傾斜状に配置し、その上に補強土を施し、裏面排水材下端位置に排水管を水平方向に配設し、この裏面排水材下端は排水管内に挿入することを要旨とするものである。
【００１３】
請求項１記載の本発明によれば、縦向き配設する裏面排水材はこれを傾斜状に配置することで、隣接する裏面排水材同士は下端と上端が上下直線上に近づくようにならび、裏面排水材同士の間の隙間も傾斜状となるので、水が裏面排水材同士の間の隙間を直線状に抜けることはなく、確実に捕捉される。
【００１４】
また、前記作用に加えて、傾斜状に配置する裏面排水材に入る水はこれが多量で流れに勢いがあるものであると、そのまま裏面排水材の下側の側端縁から抜け出てしまうおそれがあるが、下側の側端縁を被覆する非透水性のチャンネル体が樋の役割をして確実に裏面排水材の内部を誘導する。
【００１５】
請求項２記載の本発明によれば、前記作用に加えて、裏面排水材下端は排水管内に挿入することで裏面排水材内部を流れる水を確実に排水管に導くことができる。
【００１６】
【発明の実施の形態】
以下、本発明の実施形態を詳細に説明する。図１は本発明の補強土の排水構造の１実施形態を示す一部切り欠いた正面図で、図中１は連続繊維の糸を高圧水または圧縮空気を利用してエジェクターの噴射ノズルから噴射し、一方、土砂を前記繊維の噴射先までマテリアルホース内を空気圧搬送し、前記糸と直接噴射・混合させる連続繊維による連続繊維補強土、１１は裏面排水材である。
【００１７】
この裏面排水材１１としては前記のごとく、連続繊維補強土１の重量による圧縮や、目づまりによって排水性能が減少しない材料を選定し、例えば、厚さ３ｃｍ程度のマット状で圧縮荷重１０ｔ／ｍ２のとき、圧縮率５０％以下及び、排水流量５００ｃｃ／ｓｅｃ（１：１．０のとき）以上のものを選定するが、材料としてはポリプロピレン樹脂を熱溶融して植物のヘチマの繊維のような立体網目に成型したマット（商品名ヘチマロン：新光ナイロン株式会社）が好適である。
【００１８】
本発明は裏面排水材１１は、これを縦向きに配設するものの、かつ傾斜状に配置した。その傾斜角は６０度程度である。
【００１９】
さらに、図２に示すように傾斜状に配置する裏面排水材１１の下側の側端縁１１ａを非透水性のチャンネル体１２で被覆することとした。このチャンネル体１２の材質は塩化ビニル等の合成樹脂の成形品、ビニールシート等のシート物、金属箔等でもよく、さらに、不透水性の樹脂塗料やシール等でもよい。
【００２０】
合成樹脂の成形品の場合はこれに裏面排水材１１の下側の側端縁１１ａを嵌め込み、シート物、金属箔等の場合は貼付け、樹脂塗料の場合は塗布による。
【００２１】
また、裏面排水材１１の下端部には地下排水管（有孔管）３を水平方向に配設し、さらにこの地下排水管（有孔管）３に地下排水管（無孔管）４を接続する。地下排水管（有孔管）３の一例を図３、図４に示す。
【００２２】
その場合に、地下排水管（有孔管）３に孔３ａの他にスリット３ｂを形成し、このスリット３ｂを介して裏面排水材１１の下端を地下排水管（有孔管）３の中に挿入した。なお、非透水性のチャンネル体１２の端は同様に地下排水管（有孔管）３内に挿入するか、端部を当接するかいずれでもよい。
【００２３】
さらに、図５に示すように裏面排水材１１の下端を地下排水管（有孔管）３の中に挿入せずに、地下排水管（有孔管）３の外周を覆う管状補助具１３の上部フランジ１３ａで両側から挟み込み、この管状補助具１３内に裏面排水材１１からの水を取り込んで、地下排水管（有孔管）３に流し込むようにしてもよい。
【００２４】
このようにして、水は裏面排水材１１同士の間の隙間を直線状に抜けることはなく、確実に捕捉され、非透水性のチャンネル体が樋の役割をして確実に裏面排水材の内部を誘導され、地下排水管（有孔管）３へと導かれる。
【００２５】
【発明の効果】
以上述べたように本発明の補強土の排水構造は、湧水個所が不明瞭な場合や、各所に染み出す水がある場合でも確実に捕捉して、効果的な排水が可能なものである。
【図面の簡単な説明】
【図１】  本発明の補強土の排水構造の１実施形態を示す一部切り欠いた正面図である。
【図２】  裏面排水材の縦断側面図である。
【図３】  地下排水管（有孔管）の縦断正面図である。
【図４】  地下排水管（有孔管）の縦断側面図である。
【図５】  本発明の他の実施形態を示す地下排水管（有孔管）の縦断正面図である。
【図６】  連続繊維補強土工の概要説明図である。
【図７】  連続繊維補強土工を施した法面の縦断側面図である。
【図８】  従来例を示す側面図である。
【符号の説明】
１…連続繊維補強土                ２…法面
３…地下排水管（有孔管）          ３ａ…孔
３ｂ…スリット                    ４…地下排水管（無孔管）
５…基礎部                        ６…プレート付きアンカー
７…保水・保肥材（土壌改良材）    ８…植生工
９…埋土                          １０…側溝
１１…裏面排水材                  １１ａ…側端縁
１２…チャンネル体
１３…管状補助具                  １３ａ…上部フランジ
Ｓ１００…砂を供給する手段        Ｔ１００…連続繊維を供給する手段
Ｓ…砂                            Ｓ１０２…計量器
Ｓ１０４…砂搬送装置              Ｓ１０８…圧送ホース
Ｔ１０２…繊維供給装置            ＷＥ…エジェクタ
Ｔ１０６…噴射ノズル
Ｈ…補強土
【図１】
0003889628.tif 000002
【図２】
0003889628.tif 000003
【図３】
0003889628.tif 000004
【図４】
0003889628.tif 000005
【図５】
0003889628.tif 000006
【図６】
0003889628.tif 000007
【図７】
0003889628.tif 000008
【図８】
0003889628.tif 000009